(57)【要約】【課題】蓋に保冷体を載置又はあてがった後、簡単に当該保冷体を保持出来る構成を有する保冷体保持部付蓋を提供する。【解決手段】箱やケース本体の開口部に被せる、外端縁に下向きの周壁を設けた蓋において、当該蓋本体１の周壁内側に複数の切り込み１１ａを間隔をあけて設け、別途、前記切り込み１１ａの配置に相応した箇所に突起２ａを設けた、剛性及び弾性を有する係止板２を設け、前記蓋本体１を引っくり返して当該蓋本体１の内面上に前記係止板２をあてがい、当該係止板２の各突起２ａを当該蓋本体１の切り込み１１ａに夫々係止して、当該係止板２の略中央部を、蓋本体１の内側で湾曲させて当該蓋本体１の内側に係止し、当該蓋本体１の内面と係止板２との間に保冷体収納部２６を設けた保冷体保持部付蓋とした。【選択図】図１
0003142121.tif 000002
【実用新案登録請求の範囲】
【請求項１】
箱やケース本体の開口部に被せる、外端縁に下向きの周壁を設けた蓋において、
当該蓋本体の周壁内側に複数の切り込み又は長孔を間隔をあけて設け、
別途、前記切り込み又は長孔の配置に相応した箇所に係止突起を設けた、剛性及び弾性を有する係止板を設け、
前記蓋本体を引っくり返して当該蓋本体の内面上に前記係止板をあてがい、当該係止板の各係止突起を当該蓋本体の切り込み又は長孔に夫々係止して、当該係止板の略中央部を、蓋本体の内側で湾曲させて当該蓋本体の内側に係止し、当該蓋本体の内面と係止板との間に保冷体収納部を設けたことを特徴とする、保冷体保持部付蓋。
【請求項２】
前記蓋本体の周壁は、二枚の板体を重ねて形成し、当該周壁の内側の板体に、前記切り込み又は長孔を設けたことを特徴とする、前記請求項１に記載の保冷体保持部付蓋。
【請求項３】
前記係止板に透孔を設けたことを特徴とする、前記請求項１又は２に記載の保冷体保持部付蓋。
【請求項４】
前記係止板を十字形状に設けたことを特徴とする、前記請求項１、２又は３の何れかに記載の保冷体保持部付蓋。
【考案の詳細な説明】
【技術分野】
【０００１】
この考案は、菓子店等において、菓子やその他の食品等の持ち運びに使用される箱やケースの蓋に関するものであって、特に、当該箱等内部の温度の上昇を防ぐ保冷体の保持部を設けた蓋に関するものである。
【背景技術】
【０００２】
従来、洋菓子店において、ケーキなどの生菓子を販売する際、持ち運びに便利な紙製の組立て紙箱を使用している。この様な紙箱においては、気温が上がる夏場はもちろん、冬であっても、多くの場所で暖房が行われているため、生ものであるケーキ等が傷まないように、当該紙箱内に保冷体を収納するスペースを設け、当該スペースに保冷体を入れて、当該紙箱内の温度が上昇するのを防ぐようにしている。
【０００３】
前記保冷体の保持部は収納されたケーキ等に邪魔にならず、かつ保冷体が前記保持部から脱落しないようにしなければならない。また、冷気は下方へ行くため、紙箱の上部に設けたほうが効率が良い。
【０００４】
この様な中、紙箱の蓋に保冷体を保持する構成を有するものが有る。すなわち、当該紙蓋を形成する折り込み平板の先端縁を他方の折り込み片と天板との間に挿入して係止させ、当該折り込み平板と天板とで保冷体収納部を形成するものである。
【特許文献１】特開２００７−１３７４９５号公報
【考案の開示】
【考案が解決しようとする課題】
【０００５】
しかしながら、前記紙蓋は、折り込み平板と天板を一体に設け、この折り込み平板を天板上に折り込んで保冷体収納部を形成し、この保冷体収納部に保冷体を収納した後、残った周壁を折り込んで形成するなど、保冷体収納後、当該紙蓋を形成するのに手間がかかり、手軽に用いられるものではない。それ故、保冷体を収納した後、もっと、簡単に、用いることが出来る、保冷体収納部付の蓋が求められる。
【０００６】
この考案は、この様な状況に鑑みてなされたもので、蓋に保冷体を載置又はあてがった後、簡単に当該保冷体を保持出来る構成を有する保冷体保持部付蓋を提供して前記課題を解決するものである。
【課題を解決するための手段】
【０００７】
請求項１の考案は、箱やケース本体の開口部に被せる、外端縁に下向きの周壁を設けた蓋において、当該蓋本体の周壁内側に複数の切り込み又は長孔を間隔をあけて設け、別途、前記切り込み又は長孔の配置に相応した箇所に係止突起を設けた、剛性及び弾性を有する係止板を設け、前記蓋本体を引っくり返して当該蓋本体の内面上に前記係止板をあてがい、当該係止板の各係止突起を当該蓋本体の切り込み又は長孔に夫々係止して、当該係止板の略中央部を、蓋本体の内側で湾曲させて当該蓋本体の内側に係止し、当該蓋本体の内面と係止板との間に保冷体収納部を設けた保冷体保持部付蓋とした。
【０００８】
請求項２の考案は、前記蓋本体の周壁は、二枚の板体を重ねて形成し、当該周壁の内側の板体に、前記切り込み又は長孔を設けた前記請求項１に記載の保冷体保持部付蓋とした。請求項３の考案は、前記係止板に透孔を設けた前記請求項１又は２に記載の保冷体保持部付蓋とした。また、請求項４の考案は、前記係止板を十字形状に設けた前記請求項１、２又は３の何れかに記載の保冷体保持部付蓋とした。
【考案の効果】
【０００９】
請求項１、２、３及び４の各考案によれば、蓋の外端縁に設けた周壁の内側に切り込み等を設け、この蓋本体の内面上に保冷体を置き、その上から係止板をあてがい、係止板の係止突起を嵌め入れて係止するだけなので、簡単かつ確実に、保冷体を保持することが出来、便利である。換言すると、蓋本体と係止板を別体として設け、蓋本体の内面上に速やかに保冷体を置くことが出来、保冷体を置いた後には、速やかに係止板を取り付けることが出来るので、簡単かつ確実に、保冷体を保持することが出来、使い勝手がよく、便利である。
【００１０】
また、この保冷体収納部付蓋を構成する部材としては、蓋本体と係止板だけのシンプルなものであり、経済的である。さらに、保冷体収納部を設けていない箱等の蓋をこの考案のものに代えるだけで、保冷体収納部付の箱等となり、汎用性が高いものである。
【００１１】
請求項２の考案によれば、前記蓋本体の周壁は、二枚の板体を重ねて形成し、当該周壁の内側の板体に、前記切り込み等を設けたので、確実な切り込み等を形成することができ、係止板の係止突起を確実に係止でき、保冷体をしっかりと保持することが出来、信頼性が高いものである。
【００１２】
請求項３の考案によれば、前記係止板に透孔を設けたので、保持された保冷体の冷気をより効果的に下方へ降下させることが出来る。また、請求項４の考案によれば、前記係止板を十字形状に設けたので、係止板として余分な部分が無く、確実に保冷体を保持しながら、保冷体の冷気をより効果的に下方へ降下させることが出来る。
【考案を実施するための最良の形態】
【００１３】
箱やケース本体の開口部に被せる、外端縁に下向きの周壁を設けた蓋において、当該蓋本体の周壁内側に複数の切り込み又は長孔を間隔をあけて設け、別途、前記切り込み又は長孔の配置に相応した箇所に係止突起を設けた、剛性及び弾性を有する係止板を設け、前記蓋本体を引っくり返して当該蓋本体の内面上に前記係止板をあてがい、当該係止板の各係止突起を当該蓋本体の切り込み又は長孔に夫々係止して、当該係止板の略中央部を、蓋本体の内側で湾曲させて当該蓋本体の内側に係止し、当該蓋本体の内面と係止板との間に保冷体収納部を設けた。これにより、簡単かつ確実に、保冷体を保持することが出来、便利である。
【実施例１】
【００１４】
以下、この考案の実施例１を図に基づいて説明する。
図１は、この考案の実施例１の蓋本体に保冷体を載置し、係止板で保持した状態でひっくり返した斜視図である。図２は、同実施例１の蓋本体の展開図である。図３は、同実施例１の係止板の平面図である。図４は、同実施例１の蓋本体をひっくり返した斜視図である。
【００１５】
この実施例１の保冷体保持部付蓋Ａを説明する。この保冷体収納部付蓋Ａは、蓋本体１と係止板２から成る。蓋本体１は、図２に示すように、紙製の長方形状の天板３の前端縁に折り目ａを介して、細幅長方形状の前側板４を設け、この前側板４の左右の端縁に折り目ｂを介して、後述する左右の側板１４、１７の前後端縁に折り目ｔ、ｕを介して設けられた略正方形状の折り込み片５を夫々設けている。これらの折り込み片５には、前記天板３の角部から対角線上に折り目ｃを設け、さらに、この折り目は一定部分切り込み５ａとなっている。
【００１６】
前側板４の前端縁に折り目ｄを介して細幅長方形状の折り込み板６を設け、この折り込み板６の前端縁の左右の角部は四角形状に切り取られており、残った左右の端縁に折り目ｅを介して略三角形状の折り込み片７を設けている。また、この折り込み板６の前端縁に折り目ｆを介して極細幅の折り込み片８を設け、この折り込み片８の左右の端縁を夫々左右方向に一定長突出させており、前端縁の左右の角部を夫々切り取り、前記折り目ｆから前記折り込み板６上に間隔を空けて横長の凸型の切り込み６ａを二つ設けている。
【００１７】
天板３の後端縁にも同様に、折り目ｇを介して、細幅長方形状の後側板９を設け、この後側板９の左右の端縁に折り目ｈを介して、後述する左右の側板１４、１７の前後端縁に折り目ｔ、ｕを介して設けられた略正方形状の折り込み片１０を夫々設けている。これらの折り込み片１０には対角線上に折り目ｉを設け、さらに、この折り目ｉは一定部分切り込み１０ａとなっている。
【００１８】
後側板９の後端縁に折り目ｊを介して細幅長方形状の折り込み板１１を設け、この折り込み板１１の後端縁の左右の角部は四角形状に切り取られており、残った左右の端縁に折り目ｋを介して略三角形状の折り込み片１２を設けている。また、この折り込み板１１の後端縁に折り目ｍを介して極細幅の折り込み片１３を設け、この折り込み片１３の左右の端縁を夫々左右方向に一定長突出させており、前端縁の左右の角部を夫々切り取り、前記折り目ｍから前記折り込み板１１上に間隔を空けて横長の凸型の切り込み１１ａを二つ設けている。
【００１９】
天板３の左端縁に折り目ｎを介して、前記前側板４や後側板９と同じ高さで長さが短い、左側板１４を設け、この左側板１４の左端縁に折り目ｏを介して折り込み板１５を設け、この折り込み板１５の左端縁側の一定幅の部位を前後に突出させて夫々突出部１５ａとし、これらの突出部１５ａの右端縁から当該折り込み板１５上に一定長の切り込み１５ｂを設けており、当該突出部１５ａの左端縁は前記右端縁に相応して切り込みとなっている。また、前記折り込み板１５の前後の突出部１５ａを除いて残った左端縁に折り目ｐを介して折り込み片１６を設けている。この折り込み片１６の左端縁の前後の角部は、およそ半台形状に切り取られている。
【００２０】
天板３の右端縁にも、前記左端縁の場合と同様に、折り目ｑを介して、前記前側板４や後側板９と同じ高さで長さが短い、右側板１７を設け、この右側板１７の右端縁に折り目ｒを介して折り込み板１８を設け、この折り込み板１８の右端縁側の一定幅の部位を前後に突出させて夫々突出部１８ａとし、これらの突出部１８ａの左端縁から当該折り込み板１８上に一定長の切り込み１８ｂを設けており、当該突出部１８ａの右端縁は前記左端縁に相応して切り込みとなっている。また、前記折り込み板１８の前後の突出部１８ａを除いて残った右端縁に折り目ｓを介して折り込み片１９を設けている。この折り込み片１９の右端縁の前後の角部は、およそ半台形状に切り取られている。
【００２１】
係止板２は、図３に示すように、前記天板３と比べ、横の長さが短く、縦の長さが長い長方形状の板体を設け、この板体の長手方向の各側端縁に、一定間隔を空けて横長の凸型の突起２ａを夫々２個設け、また、この板体の中央部に等間隔で３個の透孔２ｂを並設したものから成る。
【００２２】
次に、この蓋Ａを組み立てて使用する。
蓋本体１の前記折り込み板６を折り目ｄによって前側板４側に折り込み、前記折り込み片７を折り目ｅによって略直角に折り上げ、前記前側板４及び折り込み板６を折り目ａによって折り上げて天板３の前端縁に立設する。この時、前記折り込み片８を予め折り目ｆによって谷折りして折り込み板６側に略直角に折り上げておき、当該折り込み片８を天板３上に当接させている。
【００２３】
前記後側板９側も同様にして、折り込み板１１を折り目ｊによって後側板９側に折り込み、前記折り込み片１２を折り目ｋによって略直角に折り上げ、前記後側板９及び折り込み板１１を折り目ｇによって折り上げて天板３の後端縁に立設する。この時、前記折り込み片１３を予め折り目ｍによって谷折りして折り込み板１１側に略直角に折り上げておき、当該折り込み片１３は天板上に当接させている。
【００２４】
続いて、前記左側板１４を折り目ｎによって天板３側に折り上げ、同時に、前記折り込み片５、１０を折り目ｃ、ｉによって谷折りして、前記左側板１４、前記折り込んで重ねた折り込み片５，１０、及び前記折り込み片７、１２とを重ね、これらの上から、折り込み板１５を折り目ｏによって折り込んで、前記折り込み片５、１０及び折り込み片７、１２を包み込み、前記左側板１４及び折り込み板１５を天板３の左端縁に立設させる。
【００２５】
さらに、前記折り込み片１６を、予め、折り目ｐによって略直角に谷折りに折り込んでおき、前記左側板１４及び折り込み板１５を立設した際には、この折り込み片１６は、天板３上に当接している。また、この時、図４に示すように、この折り込み片１６の切り欠かれた部分と、前記折り込み片８、１３の切り欠かれた部分とが突き合わされて、相互に支持しており（折り込み片８については記載省略）、さらに、折り込み板１５の前後に突出した部分１５ａの先端縁は折り曲げられて、折り込み板６、１１の切り欠かれた部分に付き合わされて相互に支持している（折り込み板６については記載省略）。
【００２６】
前記右側板１７についても同様に、折り目ｑによって天板３側に折り上げ、同時に、前記折り込み片５、１０を折り目ｃ、ｉによって谷折りして、前記右側板１７、前記折り込んで重ねた折り込み片５、１０、及び前記折り込み片７、１２とを重ね、これらの上から、折り込み板１８を折り目ｒによって折り込んで、前記折り込み片５、１０、及び折り込み片７、１２を包み込み、前記右側板１７及び折り込み板１８を天板３の右端縁に立設させる。
【００２７】
前記折り込み片１９を、予め、折り目ｓによって略直角に谷折りに折り込んでおき、前記右側板１７及び折り込み板１８を立設した際には、この折り込み片１９は、天板３上に当接している。また、この時、図４に示すように、前記折り込み片１９の切り欠かれた部分と、この折り込み片８、１３の切り欠かれた部分とが突き合わされて、相互に支持しており（折り込み片８については記載省略）、さらに、折り込み板１８の前後に突出した部分１８ａの先端縁は折り曲げられて、折り込み板６、１１の切り欠かれた部分に付き合わされて相互に支持している（折り込み板６については記載省略）。
【００２８】
この様にして、図４に示すように、蓋本体１を形成し、図１に示すように、この蓋本体１の天板３上に保冷体Ｂを載置し、その上から、前記係止板２を短尺方向に、幾分、湾曲させてあてがい、この係止板２の各突起２ａを蓋本体１の相応する位置の各切り込み６ａ、１１ａに係止して、保冷体Ｂを保持する。この様に、保冷体保持部付蓋Ａでは、蓋本体１の内面と係止板２との間に保冷体収納部２６を設けている。
【実施例２】
【００２９】
図５は、この考案の実施例２の蓋本体の内面に保冷体を載置し、係止板で保持した状態でひっくり返した斜視図である。図６は、同実施例２の天板の平面図である。図７は、同実施例２の蓋の周壁を形成する外側の板体の平面図である。図８は、同実施例２の蓋本体の周壁を形成する内側の板体の平面図である。図９は、同実施例２の蓋本体の周壁に設けた長孔の斜視図である。図１０は、同実施例２の係止板の平面図である。
【００３０】
この実施例２の保冷体収納部付蓋Ｃは、薄い板体から成る木製とし、円形状であり、図６に示すように、蓋本体２１として円形状の天板２２と、図７に示す、外側の周壁を形成する一定幅の帯状の板体２３、及び図８に示す、内側の周壁を形成する一定幅の帯状の板体２４からなる。この板体２４の左側縁には、等間隔で横長の凹部２４ａを４個設けている。
【００３１】
また、係止板２５としては、全体的に、前記天板２２よりやや大きく、略十字形状であって、四方に突出した部分２５ａの先端縁には、さらに、一定幅突出した係止突起２５ｂを夫々設けている。また、この係止板２５には、５つの透孔２５ｃを設けている。
【００３２】
次に、この蓋Ｃを形成する。
前記板体２４を内側にして２本の板体２３、２４を重ねて環状に折り曲げ、これらの板体２３、２４の下側縁に前記天板２２の外端縁を取り付けて固定する。その後、蓋本体２１の内面である天板２２の面上に保冷体Ｂを載置し、その上から、前記係止板２５の四方の突出した部分２５ａを夫々幾分湾曲させてあてがい、この係止板２５の各係止突起２５ｂを蓋本体２１の相応する位置の各切り込み２４ａに嵌め入れ係止し、保冷体Ｂを保持する。この様に、保冷体保持部付蓋Ｃでは、蓋本体２１の内面と係止板２５との間に保冷体収納部２７を設けている。
【００３３】
以上の実施例では、この保冷体保持部付蓋Ａを紙製とし、また、保冷体収納部付蓋Ｃを木製としたが、保冷体保持部付蓋としては、これらの材質に限らず、この考案が実施できる、剛性及び弾性を有する材質であれば、なんでも良く、例えば、プラスチックなどから成るものでも良い。
【００３４】
また、保冷体保持部付蓋Ａとして、具体的な構成を記載しているが、この考案の保冷体保持部付蓋としては、これらの構成に限るものではなく、この考案が実施出来るものなら他の構成のものでももちろん良く、また、保冷体保持部付蓋Ａ、Ｃとして、何れも周壁を二枚の板体を重ねたものから形成しているが、周壁は、必ずしも、二枚の板体からなるものに限らず、蓋の周壁の内側に切り込み又は長孔を設けることができるものならば、一枚の板体でも良い。
【００３５】
さらに、保冷体収納部付蓋Ｃの係止板２５として、十字形状に設けているが、係止板２５の形状としては、もちろん他の形状でもよく、また、透孔２５ｃは、無くてもよい。
【図面の簡単な説明】
【００３６】
【図１】この考案の実施例１の蓋本体に保冷体を載置し、係止板で保持した状態でひっくり返した斜視図である。
【図２】この考案の実施例１の蓋本体の展開図である。
【図３】この考案の実施例１の係止板の平面図である。
【図４】この考案の実施例１の蓋本体をひっくり返した斜視図である。
【図５】この考案の実施例２の蓋本体の内面に保冷体を載置し、係止板で保持した状態の当該蓋をひっくり返した斜視図である。
【図６】この考案の実施例２の天板の平面図である。
【図７】この考案の実施例２の周壁を形成する外側の板体の平面図である。
【図８】この考案の実施例２の周壁を形成する内側の板体の平面図である。
【図９】この考案の実施例２の周壁に設けた長孔の斜視図である。
【図１０】この考案の実施例２の係止板の平面図である。
【符号の説明】
【００３７】
Ａ    保冷体保持部付蓋  Ｂ    保冷体        Ｃ    保冷体収納部付蓋
１    蓋本体            ２    係止板        ３    天板
４    前側板            ５    折り込み片    ６    折り込み板
７    折り込み片        ８    折り込み片    ９    後側板
１０    折り込み片      １１    折り込み板  １２    折り込み片
１３    折り込み片      １４    左側板      １５    折り込み板
１６    折り込み片      １７    右側板      １８    折り込み板
１９    折り込み片      ２１    蓋本体      ２２    天板
２３    板体            ２４    板体        ２５    係止板
２６    保冷体収納部    ２７    保冷体収納部
【図１】
0003142121.tif 000003
【図２】
0003142121.tif 000004
【図３】
0003142121.tif 000005
【図４】
0003142121.tif 000006
【図５】
0003142121.tif 000007
【図６】
0003142121.tif 000008
【図７】
0003142121.tif 000009
【図８】
0003142121.tif 000010
【図９】
0003142121.tif 000011
【図１０】
0003142121.tif 000012